(57)【要約】【課題】蓋部を迅速に開閉できると共に、掛け止め部を引っ掛けた際に、蓋側係合部と本体側係合部との相対ずれを防止できる構造の釣竿収納展示容器を提供する。【解決手段】横断面形状が多角形の縦長容器であり、本体部１０と、該本体部の下端開口部を塞ぐ底部４０と、本体部の上端開口部を塞ぐ開閉可能な蓋部２０とを有し、蓋部は、本体部を形成する側壁の上端部に設けられ、該側壁に対して折り曲げ可能な蓋要素を有し、前記本体部を形成する複数個の側壁１０Ａ，１０Ｂ，１０Ｃ，１０Ｄの中の特定側壁１０Ｃの外側に設けた本体側係合部を有し、前記蓋要素の中の特定蓋要素２０Ａに設けられ、該特定蓋要素が折り曲げられてその自由端部側領域２０Ａ’が前記特定側壁の外側に覆い被さった状態の場合に、前記本体側係合部と着脱可能に係合できる蓋側係合部を有し、前記特定側壁の上端部に接続した掛け止め部３０を有する。【選択図】図１
2010030635.tif 000002
【特許請求の範囲】
【請求項１】
横断面形状が多角形の縦長容器であり、本体部（１０）と、該本体部の下端開口部を塞ぐ底部と、本体部の上端開口部を塞ぐ開閉可能な蓋部（２０）とを有し、
蓋部は、本体部を形成する側壁の上端部に設けられ、該側壁に対して折り曲げ可能な蓋要素を有し、
前記本体部を形成する複数個の側壁の中の特定側壁（１０Ｃ）の外側に設けた本体側係合部（１０Ｋ）を有し、
前記蓋要素の中の特定の蓋要素（２０Ａ）に設けられ、該特定蓋要素が折り曲げられてその自由端部側領域（２０Ａ’）が前記特定側壁の外側に覆い被さった状態の場合に、前記本体側係合部と着脱可能に係合できる蓋側係合部（２０Ｋ）を有し、
前記特定側壁の上端部に接続した掛け止め部（３０）を有する
ことを特徴とする商品収容陳列容器。
【請求項２】
前記多角形は矩形であり、前記掛け止め部は平板状であって、前記特定蓋要素の領域内部に孔を設けており、前記自由端部領域を前記特定側壁の外側に覆い被せるよう特定蓋要素を折り曲げる際に、前記平板状掛け止め部が前記孔を挿通できると共に、前記孔の、平板状掛け止め部の平板状広がり方向の寸法が該平板状掛け止め部の幅と概ね一致する請求項１記載の商品収容陳列容器。
【発明の詳細な説明】
【技術分野】
【０００１】
本発明は、小売店等において、釣竿等の商品を収容すると共に、店内の陳列壁面から突き出たフック部材等に引っ掛け、吊るして展示陳列する容器に関するものである。
【背景技術】
【０００２】
小売店において、釣竿等を陳列販売する場合、釣竿が継式であったり、また短い場合に、従来から、一部に透明なフィルム部を設けると共に、主として厚紙を使って組み立て形成したり、透明状のプラスチックシートを折り曲げ形成して、通常、細長い直方体の陳列容器に入れ、これの上端部に設けた掛け止め部を、店内の陳列壁面から突き出たフック部材に引っ掛け、吊るして陳列することが行われている。
【０００３】
図４はその典型的な容器の要部（上方部）を斜視図によって図示しており、蓋部を開放している状態の（ａ）図と、閉じる途中の（ｂ）図と、完全に閉じた状態の（ｃ）図を示している。容器の本体部１０は、４つの長方形の側壁１０Ａ，１０Ｂ，１０Ｃ，１０Ｄから形成されている。この本体部の上端開口部を塞ぐ蓋部２０は、４つの矩形状の蓋要素２０Ａ，２０Ｂ，２０Ｃ，２０Ｄを有しており、この順番で上記各側壁に対応しており、夫々の側壁上端部を延伸させた形状に一体に接続形成しており、その各境界ライン部を復元可能に折り曲げることができる。
【０００４】
本体部の４つの側壁の中の特定側壁１０Ｃの上端近くの位置には、本体側係合部としての面ファスナー（ベルクロテープ（登録商標））１０Ｋが両面テープによって接着固定されている。一方、特定側壁１０Ｃと対向する位置にある側壁１０Ａに接続している蓋要素（特定蓋要素）２０Ａの所定位置裏面には、蓋側係合部としての面ファスナー２０Ｋが両面テープによって接着固定されている。また、この特定蓋要素２０Ａには、切り起こし型の掛け止め部３０が設けられている。
【０００５】
蓋部２０の閉じ方は、まず蓋要素２０Ｂ，２０Ｄを閉じ、次に、蓋要素２０Ｃを閉じ、最後に特定蓋要素２０Ａを閉じ、面ファスナー同士１０Ｋ，２０Ｋを係合させて蓋部２０の閉鎖が完了する。この後、掛け止め部３０を起こし、その貫通孔３０Ｈに、店の陳列壁面から突き出たフック部材を通して引っ掛け、吊るして陳列する。
また、下記特許文献には本出願人による釣竿収容陳列容器が開示されている。特定側壁１ｃには延出片１ｊ（掛け止め部）が延設されており、延出片１ｆ（特定蓋要素）の自由端部側領域１ｏが特定側壁の内側に収納される形態で蓋の閉鎖が成される。
【特許文献１】特開２００２−１４２６３９
【発明の開示】
【発明が解決しようとする課題】
【０００６】
図４の形態では、収容釣竿等の全重量が上記掛け止め部３０に作用するため、上で説明した形態容器の場合、掛け止め部３０と一体の特定蓋要素２０Ａが本体部１０に対して相対的に持ち上がろうとする。それ故に、蓋側係合部である面ファスナー２０Ｋと、本体側係合部の面ファスナー１０Ｋとが相対的に上下の方向に強く引き合うこととなる。これにより、側壁や蓋要素における面ファスナーの接着界面に負荷が作用し、面ファスナーの位置がずれたり、剥離する不具合が発生し得る。接着接合として、両面テープに代えて接着剤にすると作業性が悪く、接着固定までに時間を要する。瞬間接着剤では、合成樹脂製フィルムである容器が白化してしまう。こうしたことのため、両面テープで接着した面ファスナーを、更にホッチギスによって側壁や蓋要素に固定した容器も出現している。
【０００７】
こうした金属部品であるホッチギスで固定する場合は、容器製造工程において、その工程が追加される他、出来上がった容器製品の見栄えも決して良くはなく、更には、購入者側において容器を廃棄する際に、ゴミの分別からは金属製ホッチギスを取り除かねばならず、好ましくない。
また、特許文献１の形態の場合は、特定蓋要素の自由端部側領域が容器内部に入った状態にして閉鎖するため、蓋部を開放させる際、特定蓋要素の自由端を指先で引っ掛けることができず、このため蓋部の開放に手間取る欠点がある。
よって本発明が解決しようとする課題は、釣竿等の商品を収容陳列する容器において、蓋部を迅速に開閉できると共に、掛け止め部を引っ掛けた際に、蓋側係合部と本体側係合部との相対ずれを防止できる構造の容器を提供することである。
【課題を解決するための手段】
【０００８】
第１の発明では、横断面形状が多角形の縦長容器であり、本体部と、該本体部の下端開口部を塞ぐ底部と、本体部の上端開口部を塞ぐ開閉可能な蓋部とを有し、蓋部は、本体部を形成する側壁の上端部に設けられ、該側壁に対して折り曲げ可能な蓋要素を有し、前記本体部を形成する複数個の側壁の中の特定側壁の外側に設けた本体側係合部を有し、前記蓋要素の中の特定の蓋要素に設けられ、該特定蓋要素が折り曲げられてその自由端部側領域が前記特定側壁の外側に覆い被さった状態の場合に、前記本体側係合部と着脱可能に係合できる蓋側係合部を有し、前記特定側壁の上端部に接続した掛け止め部を有することを特徴とする商品収容陳列容器を提供する。
上下は、容器を吊るした状態における上下で表現している。
【０００９】
第２の発明では、第１の発明の前記多角形は矩形であり、前記掛け止め部は平板状であって、前記特定蓋要素の領域内部に孔を設けており、前記自由端部領域を前記特定側壁の外側に覆い被せるよう特定蓋要素を折り曲げる際に、前記平板状掛け止め部が前記孔を挿通できると共に、前記孔の、平板状掛け止め部の平板状広がり方向の寸法が該平板状掛け止め部の幅と概ね一致するよう構成する。
【発明の効果】
【００１０】
第１の発明では、掛け止め具を本体部に設けたので、この掛け止め部に対して容器と収容商品の全重量が作用するが、その負荷は本体部が受け止める。従って、前記重量負荷によって蓋部が本体部に対して上方にずれる作用を受けることもない。このため、蓋側係合部と本体側係合部との相対ずれを防止できる。また、特定蓋要素が折り曲げられ、その自由端部側領域が特定側壁の外側に覆い被さって本体側係合部と蓋側係合部とが係合するため、蓋部を開放させる際には、容器の外側に露出した特定蓋要素の自由端を指先で引っ掛けて開放できるため、迅速に可能となる。
【００１１】
第２の発明では、蓋部を閉じた場合に平板状掛け止め部の幅と、特定蓋要素の領域内部に設けた孔の同方向の寸法とが概ね同じであるため、特定側壁と、この側壁と対向する側の側壁（特定蓋要素を設けている側壁）とが、前記幅方向に相対的にずれようとした場合に、孔壁と平板状掛け止め部とが干渉し合ってずれに抵抗する。従って、横断面矩形状容器がこの方向にずれるように潰れ変形する（横断面が長方形から平行四辺形に変形する）ことが防止できる。概ね一致するとは、この作用効果を奏するためのものであり、厳密に同じ値ということではなく、数ミリの差を許容する。
【発明を実施するための最良の形態】
【００１２】
以下、本発明を図面を用いて更に詳細に説明する。
図１は、本発明に係る容器の第１形態例を示す図であり、（ａ）は展開図、（ｂ）は組み立て途中の要部斜視図、（ｃ）は組み立て終了後の要部斜視図である。容器の基本構造は図４で説明した従来構造を有しており、異なる構造を主に説明する。説明しない構造は図４と同様である。容器の材料は透明状のプラスチック材であり、（ａ）図に示す通り、１枚のプラスチックシートから折り曲げ形成できる。
【００１３】
シートの本体部１０に対応する領域には、側壁１０Ａ，１０Ｂ，１０Ｃ，１０Ｄがこの順に並んで配列しており、その下端部には、本体部の下端開口部を塞ぐための底部４０を形成する底部の４つの矩形状底要素４０Ａ，４０Ｂ，４０Ｃ，４０Ｄが、夫々が独立した折り曲げが可能なように各隣接側縁が分離した状態で形成されている。また、上端部には、本体部の上端開口部を塞ぐ蓋部２０の４つの矩形状蓋要素２０Ａ，２０Ｂ，２０Ｃ，２０Ｄが、夫々が独立した折り曲げが可能なように各隣接側縁が分離した状態で形成されている。自由端部側領域２０Ａ’は（特定）蓋要素２０Ａの一部であり、閉じた場合に本体部の側壁１０Ｃの外側に重合する領域である。
【００１４】
図４で説明した構造とは異なり、蓋部２０の特定蓋要素２０Ａには、切り起こし型の掛け止め部は設けられていない。掛け止め部３０は、本体部２０の特定側壁１０Ｃの上端部に一体接続形成されており、現実には蓋要素２０Ｃの折り曲げライン部で起こされる切り起こし型の掛け止め部として形成されている。一方、特定蓋要素２０Ａには、閉じた際に蓋要素２０Ｃの折り曲げライン部に対応する位置、即ち、領域２０Ａ’の自由端ではない境界ライン付近に、折り曲げラインに平行な細長いスリット状孔２０Ｈを設けており、この孔から掛け止め部３０を上方に抜き出すことができる。
【００１５】
第１の発明の観点からは、上記孔は掛け止め部が上方に出せればよいので、この孔はスリット状孔に限らず、例えば、当該特定蓋要素２０Ａの領域２０Ａ’の自由端から切り込んで自由端側に開口した矩形開口部としてもよい。しかし、第２の発明の観点からは、領域２０Ａ’の自由端側に開口した孔ではなく、こうしたスリット状孔２０Ｈか、又は後述する図２の孔２０Ｈ’のような、他辺も長目の正方形や長方形の孔でなくてはならない。何れの孔２０Ｈ，２０Ｈ’であっても平板状掛け止め部３０の幅が、スリット状孔２０Ｈの長手方向辺寸法、又は孔２０Ｈ’の２辺の内の、平板状掛け止め部３０の平板状の広がり方向の辺寸法、即ち、図１（ｃ）、図２（ｂ）の各矢印方向の孔寸法と概ね一致している。このため、容器に対して、側壁１０Ａと１０Ｃとを相対的に矢印方向にずらせるような変形をさせようとする際、特定側壁１０Ｃに一体の平板状掛け止め部３０が、側壁１０Ａに一体の特定蓋要素２０Ａの孔壁と干渉し、その変形を防止する。
【００１６】
面ファスナーの図示を省略しているが、図４と同様な位置、即ち、特定蓋要素２０Ａの領域２０Ａ’の裏面に蓋側係合部である面ファスナー２０Ｋを設け、本体部１０の特定側壁１０Ｃの上端近くに本体側係合部の面ファスナー１０Ｋを設けている。前記スリット状孔２０Ｈに代えて、既述した自由端側に矩形開口した開口部とする場合は、その矩形開口部の左右位置に面ファスナー２０Ｋを分割配設し、面ファスナー１０Ｋも対応して分割配設させればよい。
【００１７】
上記構造の容器では、特定蓋要素２０Ａの自由端部側領域２０Ａ’が特定側壁１０Ｃの外側に重合するため、領域２０Ａ’の自由端に指先を引っ掛けることができ、蓋部の迅速な開放が可能となる。また、その掛け止め部３０が、本体部２０の特定側壁１０Ｃの上端部に一体接続形成されているため、吊るした際の重量負荷は、この掛け止め部材３０と特定側壁等の本体部１０で受け止め、特定蓋要素２０Ａには及ばない。従って、面ファスナー１０Ｋ，２０Ｋの各接着境界に重量負荷が作用することは防止でき、相対位置もずれることが防止されて面ファスナーの接着位置が安定保持できる。
【００１８】
図２は第１形態例の変形例ともいえる第２形態例を示す斜視図である。第１形態例と異なるのは、第１形態例と同じ掛け止め部３０の他に、特定蓋要素の領域２０Ａ’の境界ライン部に折り曲げ部を有するように切り起こし型の掛け止め部３２を設けていることである。容器を組み立てる際には、掛け止め部３２を起こした後に、第１形態例のスリット状孔２０Ｈに対応する矩形孔２０Ｈ’が形成され、ここに側壁１０Ｃの上端部に一体に接続した掛け止め部３０を挿通させ、２つの掛け止め部３０，３２を揃えられる。この状態で揃った貫通孔３０Ｈ（３２Ｈ）にフック部材を挿通させて吊るすことができ、貫通孔周辺の掛け止め部の強度を向上できる。
【００１９】
この形態例の場合も、蓋部の開放が迅速に行えると共に、２つの掛け止め部３０，３２の一方３０が、鉛直状の特定側壁１０Ｃに対して、その側壁の延長として一体化接続されているため、吊るした際の重量荷重は特定側壁１０Ｃに対して引っ張り荷重として作用するに過ぎず、特定蓋要素２０Ａには作用しない。従って、他方の掛け止め部３２を介して、特定蓋要素２０Ａに負荷を及ぼそうとしても、一方３０にその負荷が伝達され、結局、特定蓋要素２０Ａに対しては負荷が及ばず、各面ファスナーの接着位置が安定保持される。
【００２０】
本発明では、容器を吊るした際に、特定蓋要素を開放させるようには力が作用しない構造であるため、第２形態例の変形例としての図３では、本発明では蓋側係合部と本体側係合部とが、面ファスナーの如き強い引っ張り力に耐える係合でなくてもよいことを例示したものであり、第３形態例を示している。特定蓋要素２０Ａの領域２０Ａ’の自由端に舌状係合部２０Ｋ’を延設し、これに対応した特定側壁１０Ｃの位置には、スリット状切欠又は孔１０Ｋ’を設けている。この孔１０Ｋ’に舌状係合部２０Ｋ’を挿入するだけでよい。第１形態例の構造に対しても同様である。
【００２１】
第３形態例の場合は、容器が、プラスチック材以外の材料部材（面ファスナーの部材）を使用することなく単一の材料（プラスチック材）で形成でき、容器廃棄の際に分別の必要が無く、便利である。
【００２２】
以上の形態例では、特定蓋要素２０Ａの領域２０Ａ’が重なり合う特定側壁１０Ｃの上端部に接続した掛け止め部３０を必須としており、展示の際は1、通常、特定側壁は容器の裏側となる。このため、陳列壁面から突き出たフック部材に引っ掛け、吊るして陳列する場合に、掛け止め部材３０をフック部材の奥の壁面に近接（接触）させて陳列できる。従って、フック部材の長さを最も効率的に使用でき、多くの容器を吊るすことができる。
【００２３】
以上の説明では、容器は直方体の形状をなしていたが、第１の発明の観点では、横断面が三角形や六角形等、他の多角形でもよい。また、何れの発明でも、容器の構成材はプラスチック材でなくてもよく、厚紙等でもよい。更には、容器内に収容する商品は釣竿以外でもよい。
【産業上の利用可能性】
【００２４】
本発明は、釣竿を収容すると共に、店内のフック部材等に引っ掛け、吊るして陳列をする容器等に適用できる。
【図面の簡単な説明】
【００２５】
【図１】図１は本発明に係る容器の第１形態例を示す図である。
【図２】図２は第２形態例を示す図である。
【図３】図３は第３形態例を示す図である。
【図４】図４は従来構造を示す図である。
【符号の説明】
【００２６】
１０                        容器の本体部
１０Ａ，１０Ｂ，１０Ｄ      側壁
１０Ｃ                      特定側壁
２０                        蓋部
２０Ｂ，２０Ｃ，２０Ｄ      蓋要素
２０Ａ                      特定蓋要素
３０，３２                  掛け止め部
４０                        底部
【図１】
2010030635.tif 000003
【図２】
2010030635.tif 000004
【図３】
2010030635.tif 000005
【図４】
2010030635.tif 000006